(57)【要約】【課題】本発明は通信技術分野に関し、特に同期化を実現する方法及び装置に関する。前記方法は、基地局は、端末より発送されたＳＲＳ信号により、回最大受信電力のＲＲＵチャネルを選択し、今回最大受信電力のＲＲＵチャネルが現在の復調に用いられるＲＲＵチャネルと同一ではないと判断すると、すぐにハンドオーバを行わず、ＲＲＵチャネルの受信電力が最大であると連続に判断する回数が所定閾値に達する場合、ＲＲＵチャネルの切り替えを認め、また、ＲＲＵチャネルの切り替えとともに的同端末にＴＡコマンド・ワードを送信し、端末との同期を完成する。こうして、端末の、ＲＲＵチャネルの間での、サブフレームレベルの頻繁なハンドオーバを避けることができる。かつ、ＲＲＵチャネルのハンドオーバを行う場合、ＴＡコマンド・ワードが１回だけ発送されるため、ＲＲＵチャネル変化する場合の端末が、長時間にＴＡコマンド・ワードを受信できず、時間同期できないことを防ぐことができるようになった。
2019510409.tif 000002
【特許請求の範囲】
【請求項１】
基地局は、端末からサウンディング参考信号（ＳＲＳ）を受信し、前記ＳＲＳ信号により今回最大受信電力のＲＲＵチャネルを選択するステップと、
基地局は、前記今回最大受信電力のＲＲＵチャネルが現在の復調に用いられるＲＲＵチャネルと同一であるか否かを判断し、両者が同一ではないと判断すれば、前記今回最大受信電力のＲＲＵチャネルに対応するカウンターの値が所定の閾値より大きいか否かを判断し、大きいと判断すれば、現在の復調に用いられるＲＲＵチャネルを前記今回最大受信電力のＲＲＵチャネルに切り替え、物理アップリンク共有チャネル（ＰＵＳＣＨ）チャネルのパイロット信号及び前記ＳＲＳ信号により、ＴＡ値を算出し、また、前記ＴＡ値により端末にＴＡコマンド・ワードを送信して、端末との同期を完成するステップとを備え、
１ＲＲＵチャネルに対応するカウンターの値は、前記１ＲＲＵチャネルが連続的に最大受信電力に対応すると判断した回数を示すことを特徴とする同期化を実現する方法。
【請求項２】
前記ＳＲＳ信号により今回最大受信電力のＲＲＵチャネルを選択した後、基地局が前記今回最大受信電力のＲＲＵチャネルが現在の復調に用いられるＲＲＵチャネルと同一であるか否かを判断する前、
基地局は、前記今回最大受信電力のＲＲＵチャネルが前回選択した受信電力最大の受信電力最大のＲＲＵチャネルと同一であるか否かを判断し、同一であれば、前記今回最大受信電力のＲＲＵチャネルに対応するカウンターの値に１を加算し、同一ではなければ、前記今回最大受信電力のＲＲＵチャネルに対応するカウンターの値１を加算し、今回最大受信電力のＲＲＵチャネル以外の他の全部ＲＲＵチャネルに対応するカウンターの値をリセットすることを特徴とする請求項１に記載の同期化を実現する方法。
【請求項３】
ＰＵＳＣＨチャネルのパイロット信号及び前記ＳＲＳ信号によりＴＡ値を算出するのは、
現在の復調されるサブフレームに対し、ＰＵＳＣＨチャネルのパイロット信号により、第１同期位置を算出し、現在の復調されるサブフレームのデコーディング結果が正確である場合、前記第１同期位置及び前記サブフレーム所在のハーフフレーム番号を格納し、前記第１同期位置は、所定の基準位置からの基地局がパイロット信号を受信する位置オフセットを示し、
ＳＲＳ信号により、第２同期位置及びＳＲＳ信号的信号雑音比（ＳＮＲ）を算出し、前記ＳＮＲが第１所定閾値より大きいか否かを判断し、大きければ、前記第２同期位置をＴＡ値とし、大きくなければ、前記サブフレーム所在のハーフフレーム番号と現在のＳＲＳ信号所在のハーフフレーム番号の差が第２所定閾値により小さいか否かを判断し、小さいと判断すれば、さらに、前記第１同期位置及び第２同期位置によりＴＡ値を算出し、
前記第２同期位置値は、所定の基準位置からのＳＲＳ信号の一次経路位置のオフセットを示すことを特徴とする請求項１に記載の同期化を実現する方法。
【請求項４】
小さいと判断すれば、さらに、前記第１同期位置及び第２同期位置によりＴＡ値を算出するのは、
前記第１同期位置と第２同期位置の差の絶対値を計算し、前記差の絶対値が第３所定閾値より小さいか否かを判断し、小さければ、前記第２同期位置をＴＡ値とし、小さくなければ、前記第１同期位置をＴＡ値とすることを特徴とする請求項３に記載の同期化を実現する方法。
【請求項５】
前記サブフレームのハーフフレーム番号と現在のサブフレームのハーフフレーム番号の差が第２所定閾値より小さいか否かを判断する場合、
小さくない場合、有効ＴＡ値がないと判断し、今回は、端末へＴＡコマンド・ワードを送信しないことを特徴とする請求項３に記載の同期化を実現する方法。
【請求項６】
端末から、サウンディング参考信号（ＳＲＳ）を受信し、前記ＳＲＳ信号により今回最大受信電力のＲＲＵチャネルを選択する選択ユニットと、
前記今回最大受信電力のＲＲＵチャネルが現在の復調に用いられるＲＲＵチャネルと同一であるか否かを判断し、両者が同一ではないと判断すれば、前記今回最大受信電力のＲＲＵチャネルに対応するカウンターの値が所定の閾値より大きいか否かを判断し、大きいと判断すれば、現在の復調に用いられるＲＲＵチャネルを前記今回最大受信電力のＲＲＵチャネルに切り替え、物理アップリンク共有チャネル（ＰＵＳＣＨ）チャネルのパイロット信号及び前記ＳＲＳ信号により、ＴＡ値を算出し、また、前記ＴＡ値により端末にＴＡコマンド・ワードを送信して、端末との同期を完成する処理ユニットとを備え、
１ＲＲＵチャネルに対応するカウンターの値は、前記１ＲＲＵチャネルが連続的に最大受信電力に対応すると判断した回数を示すことを特徴とする同期化を実現する装置。
【請求項７】
前記ＳＲＳ信号により今回最大受信電力のＲＲＵチャネルを選択した後、基地局により、前記今回最大受信電力のＲＲＵチャネルが現在の復調に用いられるＲＲＵチャネルと同一であるか否かを判断する前、
計算ユニットは、前記今回最大受信電力のＲＲＵチャネルが前回選択した受信電力最大の受信電力最大のＲＲＵチャネルと同一であるか否かを判断し、同一であれば、前記今回最大受信電力のＲＲＵチャネルに対応するカウンターの値に１を加算し、同一ではなければ、前記今回最大受信電力のＲＲＵチャネルに対応するカウンターの値に１を加算し、今回最大受信電力のＲＲＵチャネル以外の他の全部ＲＲＵチャネルに対応するカウンターの値をリセットすることを特徴とする請求項６に記載の同期化を実現する装置。
【請求項８】
ＰＵＳＣＨチャネルのパイロット信号及び前記ＳＲＳ信号によりＴＡ値を算出する場合、前記処理ユニットは、
現在の復調されるサブフレームに対し、ＰＵＳＣＨチャネルのパイロット信号により、第１同期位置を算出し、現在の復調されるサブフレームのデコーディング結果が正確である場合、前記第１同期位置及び前記サブフレーム所在のハーフフレーム番号を格納し、前記第１同期位置は、所定の基準位置からの基地局がパイロット信号を受信する位置オフセットを示し、
ＳＲＳ信号により、第２同期位置及びＳＲＳ信号的信号雑音比（ＳＮＲ）を算出し、前記ＳＮＲが第１所定閾値より大きいか否かを判断し、大きければ、前記第２同期位置をＴＡ値とし、おおきくなければ、前記サブフレーム所在のハーフフレーム番号と現在のＳＲＳ信号所在のハーフフレーム番号の差が第２所定閾値により小さいか否かを判断し、小さいと判断すれば、前記第１同期位置及び第２同期位置によりＴＡ値を算出し、
前記第２同期位置値は、所定の基準位置からのＳＲＳ信号の一次経路位置のオフセットを示すことを特徴とする請求項６に記載の同期化を実現する装置。
【請求項９】
小さいと判断し、前記第１同期位置及び第２同期位置によりＴＡ値を算出する場合、前記処理ユニットは、
前記第１同期位置と第２同期位置の差の絶対値を計算し、前記差の絶対値が第３所定閾値より小さいか否かを判断し、小さければ、前記第２同期位置をＴＡ値とし、小さくなければ、前記第１同期位置をＴＡ値とすることを特徴とする請求項８に記載の同期化を実現する装置。
【請求項１０】
前記サブフレームのハーフフレーム番号と現在のサブフレームのハーフフレーム番号の差が第２所定閾値より小さいか否かを判断する場合、
前記処理ユニットは、小さくない場合、有効ＴＡ値がないと判断し、今回は、端末へＴＡコマンド・ワードを送信しないことを特徴とする請求項８に記載の同期化を実現する装置。
【発明の詳細な説明】
【技術分野】
【０００１】
本発明は通信技術分野に関し、特に同期化を実現する方法及び装置に関する。
【背景技術】
【０００２】
ＬＴＥ（Ｌｏｎｇ Ｔｅｒｍ Ｅｖｏｌｕｔｉｏｎ）システムは、最大３５０ｋｍ / ｈの速度で走行する高速鉄道をサポートする。セル間の端末の頻繁なハンドオーバによって引き起こされるシグナリングオーバーヘッドを低減するために、通常、マルチセル結合のカバレッジ方法を採用し、即ち、シングルセルの場合にはＲＲＵ（Ｒａｄｉｏ Ｒｅｍｏｔｅ Ｕｎｉｔ，ＲＲＵ）を用いて分散式カバレッジを行う。このようなカバレッジは、ハンドオーバによるシグナリングオーバーヘッドを低減するが、新しい問題点も起こす。端末は、セル間及びセル内の複数のＲＲＵにより状態を切り替えなければならないため、電力変化及び遅延変化が引き起こる。高速鉄道上の端末の移動速度が速く、単一のＲＲＵに駐留する時間が短く、端末が受信した信号電力及び遅延変化がともに速いため、通常、電力が最大のＲＲＵを選択して受信する。
【０００３】
また、端末と基地局の間の時間同期を確保するため、ＳＲＳ（Ｓｏｕｎｄｉｎｇ Ｒｅｆｅｒｅｎｃｅ Ｓｉｇｎａｌ，ＳＲＳ）が周期性及び連続性有することにより、基地局は通常ＳＲＳ信号を利用して遅延を推測し、ＳＲＳ信号を利用して推測した一次経路位置（ｐｒｉｍａｒｙ ｐａｔｈ ｐｏｓｉｔｉｏｎ）により、端末と基地局の間の遅延値を推測し、ＴＡ（Ｔｉｍｅ Ａｄｖａｎｃｅｄ，ＴＡ）コマンド・ワードにより、時間を調整するように端末に通知し、こうして、両者の時間同期を確保することができる。ＴＡコマンド・ワードは、一般的に周期的に送信され、周期が短ければ、多くの時間・周波数リソースを占有し、基地局プロセッサの負荷が多くなり、セルレベルのスループットに影響を与え、一方、周期が長ければ、ＴＡをタイムリーに調整することができなくなり、現在、周期の単位を秒とする。
【０００４】
なので、従来の、高速鉄道場合の複数のセルのカバレッジシナリオにおいて、基地局が複数のＲＲＵチャネル信号を受信し、かつ、ＲＲＵチャネル信号それぞれの間に遅延差があるため、以下のような問題点をもたらす。
【０００５】
問題点１）端末がＲＲＵの間でハンドオーバする前の一瞬に、ＴＡコマンド・ワードを送信したとすれば、ハンドオーバした後の長時間においてＴＡ調整を行うことができない。
問題点２）端末があるＲＲＵの付近に位置し、カバレッジ及び無線環境の変化の原因で、隣接のＲＲＵ電力が当該ＲＲＵより強くで、当該基地局は隣接ＲＲＵの信号に従ってＴＡコマンド・ワードを送信してしまう。
問題点３）カバレッジの原因で、ＲＲＵ間の端末のハンドオーババンドは、２つのＲＲＵの中間位置ではない可能性もあり、ハンドオーババンドに、サブフレームレベルの頻繁なハンドオーバが引き起こる。
【０００６】
前記の３つの問題点の原因で、基地局の、アップリンク復調用のチャネル及びＴＡ調整のためのチャネルが同一のＲＲＵチャネルに属しなくなり、基地局と端末の同期障害を引き起こし、アップリンク復調の性能及びサービスの一般的な感知を低下させる。
【先行技術文献】
【特許文献】
【０００７】
【特許文献１】中国特許出願公告第１０２３１８２３３号明細書
【発明の概要】
【発明が解決しようとする課題】
【０００８】
本発明に係る実施例は、同期化を実現する方法及び装置を提供し、従来のＴＡ調整を行うＲＲＵチャネル及びアップリンク復調のためのＲＲＵチャネルが同一のＲＲＵチャネルではない可能性があるため、基地局と端末の時間が同期しない問題点を解決する。
【課題を解決するための手段】
【０００９】
本発明の実施例に係る技術案は以下とおりである。
同期化を実現する方法は、基地局は、端末からＳＲＳ信号を受信し、前記ＳＲＳ信号に従って、今回最大受信電力のＲＲＵチャネルを選択するステップと、基地局は、前記今回最大受信電力のＲＲＵチャネルが現在の復調に用いられるＲＲＵチャネルと同一であるか否かを判断し、両者が同一ではないと判断すれば、前記今回最大受信電力のＲＲＵチャネルに対応するカウンターの値が所定の閾値より大きいか否かをさらに判断し、大きいと判断すれば、現在の復調に用いられるＲＲＵチャネルを前記今回最大受信電力のＲＲＵチャネルに切り替え、ＰＵＳＣＨチャネルのパイロット信号および前記ＳＲＳ信号により、ＴＡ値を算出し、かつ、前記ＴＡ値により端末にＴＡコマンド・ワードを送信して、端末との同期を完成するステップとを備え、１ＲＲＵチャネルに対応するカウンターの値は、前記１ＲＲＵチャネルが連続的に最大受信電力に対応すると判断した回数を示す。
【００１０】
本発明に係る実施例では、基地局は、端末からＳＲＳ信号を受信し、かつ、ＳＲＳ信号により、今回最大受信電力のＲＲＵチャネルを選択し、基地局は、今回最大受信電力のＲＲＵチャネルが現在の復調に用いられるＲＲＵチャネルと同一であるか否かを判断し、両者が同一ではないと判断すれば、今回最大受信電力のＲＲＵチャネルに対応するカウンターの値が所定の閾値より大きいか否かをさらに判断し、大きいと判断すれば、現在の復調に用いられるＲＲＵチャネルハンドオーバを今回最大受信電力のＲＲＵチャネルに切り替え、かつ、ＰＵＳＣＨチャネルのパイロット信号及びＳＲＳ信号によりＴＡ値を算出し、また、ＴＡ値にしたがって、端末にＴＡコマンド・ワードを送信して、端末との同期を完成し、１ＲＲＵチャネルに対応するカウンターの値は、前記１ＲＲＵチャネルが連続的に最大受信電力に対応すると判断した回数を示す。こうして、ＲＲＵチャネルが変化するたびに、切り替えることではなく、ＲＲＵチャネルの受信電力が最大であると連続的に判断された回数が所定の閾値に達する場合のみ、ＲＲＵチャネル状態の切り替えが認められる。このように、ハンドオーバの延期により、端末の、ＲＲＵチャネルの間での、サブフレームレベルの頻繁なハンドオーバを避けることができる。かつ、ＲＲＵチャネルのハンドオーバを行う場合、ＴＡコマンド・ワードが１回だけ発送されるため、ＲＲＵチャネル変化する場合の端末が、長時間にＴＡコマンド・ワードを受信できず、時間同期できないことを防ぐことができるようになった。
【００１１】
好ましくは、前記ＳＲＳ信号により今回最大受信電力のＲＲＵチャネルを選択した後、基地局により前記今回最大受信電力のＲＲＵチャネルが現在の復調に用いられるＲＲＵチャネルと同一であるか否かを判断する前、
【００１２】
基地局は、前記今回最大受信電力のＲＲＵチャネルが前回選択した受信電力最大の受信電力最大のＲＲＵチャネルと同様であるか否かを判断し、同様であると判断すれば、前記今回最大受信電力のＲＲＵチャネルに対応するカウンターの値に１を加算し、同様ではなければ、前記今回最大受信電力のＲＲＵチャネルに対応するカウンターの値に１を加算し、今回最大受信電力のＲＲＵチャネル以外の他の全部ＲＲＵチャネルに対応するカウンターの値をリセットする。
【００１３】
好ましくは、ＰＵＳＣＨチャネルのパイロット信号及び前記ＳＲＳ信号によりＴＡ値を算出するのは、現在の復調されるサブフレームに対し、ＰＵＳＣＨチャネルのパイロット信号により、第１同期位置を算出し、現在の復調されるサブフレームのデコーディング結果が正確である場合、前記第１同期位置和前記サブフレーム所在のハーフフレーム番号を格納し、前記第１同期位置は、所定の基準位置からの基地局がパイロット信号を受信する位置オフセットを示し、ＳＲＳ信号により、第２同期位置及びＳＲＳ信号的信号雑音比（ＳＮＲ）を算出し、前記ＳＮＲが第１所定閾値より大きいか否かを判断し、大きければ、前記第２同期位置をＴＡ値とし、大きくなければ、前記サブフレーム所在のハーフフレーム番号と現在のＳＲＳ信号所在のハーフフレーム番号の差が第２所定閾値より小さいか否かを判断し、小さいと判断すれば、前記第１同期位置和第２同期位置により、ＴＡ値をさらに算出し、前記第２同期位置値は、所定の基準位置からのＳＲＳ信号の一次経路位置のオフセットを示す。
【００１４】
好ましくは、小さいと判断すれば、前記第１同期位置和第２同期位置により、ＴＡ値をさらに算出するのは、前記第１同期位置と第２同期位置の差の絶対値を算出し、前記差の絶対値が第３所定閾値より小さいか否かを判断し、小さければ、前記第２同期位置をＴＡ値とし、小さくなければ、前記第１同期位置をＴＡ値とする。
【００１５】
好ましくは、前記サブフレームのハーフフレーム番号と現在のサブフレームのハーフフレーム番号の差が第２所定閾値より小さいか否かを判断する場合、小さくない場合、有効ＴＡ値がないと判断し、今回は、端末へＴＡコマンド・ワードを送信しない。
【００１６】
同期化を実現する装置は、端末からＳＲＳ信号を受信し、前記ＳＲＳ信号に従って、今回最大受信電力のＲＲＵチャネルを選択する選択ユニットと、前記今回最大受信電力のＲＲＵチャネルが現在の復調に用いられるＲＲＵチャネルと同一であるか否かを判断し、両者が同一ではないと判断すれば、前記今回最大受信電力のＲＲＵチャネルに対応するカウンターの値が所定の閾値より大きいか否かをさらに判断し、大きいと判断すれば、現在の復調に用いられるＲＲＵチャネルを前記今回最大受信電力のＲＲＵチャネルに切り替え、ＰＵＳＣＨチャネルのパイロット信号および前記ＳＲＳ信号により、ＴＡ値を算出し、かつ、前記ＴＡ値により端末にＴＡコマンド・ワードを送信して、端末との同期を完成する処理ユニットとを備え、１ＲＲＵチャネルに対応するカウンターの値は、前記１ＲＲＵチャネルが連続的に最大受信電力に対応すると判断した回数を示す。
【００１７】
本発明に係る実施例では、基地局は、端末からＳＲＳ信号を受信し、かつ、ＳＲＳ信号により、今回最大受信電力のＲＲＵチャネルを選択し、基地局は、今回最大受信電力のＲＲＵチャネルが現在の復調に用いられるＲＲＵチャネルと同一であるか否かを判断し、両者が同一ではないと判断すれば、今回最大受信電力のＲＲＵチャネルに対応するカウンターの値が所定の閾値より大きいか否かをさらに判断し、大きいと判断すれば、現在の復調に用いられるＲＲＵチャネルハンドオーバを今回最大受信電力のＲＲＵチャネルに切り替え、かつ、ＰＵＳＣＨチャネルのパイロット信号及びＳＲＳ信号によりＴＡ値を算出し、また、ＴＡ値にしたがって、端末にＴＡコマンド・ワードを送信して、端末との同期を完成し、１ＲＲＵチャネルに対応するカウンターの値は、前記１ＲＲＵチャネルが連続的に最大受信電力に対応すると判断した回数を示す。こうして、ＲＲＵチャネルの受信電力が最大であると連続的に判断された回数が所定の閾値に達する場合のみ、ＲＲＵチャネル状態の切り替えが認められ、ＲＲＵチャネルが変化するたびに、切り替えることではなく、このように、ハンドオーバの延期により、端末の、ＲＲＵチャネルの間での、サブフレームレベルの頻繁なハンドオーバを避けることができる。かつ、ＲＲＵチャネルのハンドオーバを行う場合、ＴＡコマンド・ワードが１回だけ発送されるため、ＲＲＵチャネル変化する場合の端末が、長時間にＴＡコマンド・ワードを受信できず、時間同期できないことを防ぐことができるようになった。
【００１８】
好ましくは、前記ＳＲＳ信号により今回最大受信電力のＲＲＵチャネルを選択した後、基地局により前記今回最大受信電力のＲＲＵチャネルが現在の復調に用いられるＲＲＵチャネルと同一であるか否かを判断する前、計算ユニットは、前記今回最大受信電力のＲＲＵチャネルが前回選択した受信電力最大の受信電力最大のＲＲＵチャネルと同一であるか否かを判断し、同一であれば、前記今回最大受信電力のＲＲＵチャネルに対応するカウンターの値に１を加算し、同様ではなければ、前記今回最大受信電力のＲＲＵチャネルに対応するカウンターの値に１を加算し、今回最大受信電力のＲＲＵチャネル以外の他の全部ＲＲＵチャネルに対応するカウンターの値をリセットする。
【００１９】
好ましくは、ＰＵＳＣＨチャネルのパイロット信号及び前記ＳＲＳ信号によりＴＡ値を算出する場合、処理ユニットは、現在の復調されるサブフレームに対し、ＰＵＳＣＨチャネルのパイロット信号により、第１同期位置を算出し、現在の復調されるサブフレームのデコーディング結果が正確である場合、前記第１同期位置和前記サブフレーム所在のハーフフレーム番号を格納し、前記第１同期位置は、所定の基準位置からの基地局がパイロット信号を受信する位置オフセットを示し、ＳＲＳ信号により、第２同期位置及びＳＲＳ信号的信号雑音比（ＳＮＲ）を算出し、前記ＳＮＲが第１所定閾値より大きいか否かを判断し、大きければ、前記第２同期位置をＴＡ値とし、大きくなければ、前記サブフレーム所在のハーフフレーム番号と現在のＳＲＳ信号所在のハーフフレーム番号の差が第２所定閾値より小さいか否かを判断し、小さいと判断すれば、前記第１同期位置和第２同期位置により、ＴＡ値をさらに算出し、前記第２同期位置値は、所定の基準位置からのＳＲＳ信号の一次経路位置のオフセットを示す。
【００２０】
好ましくは、小さいと判断すれば、前記第１同期位置及び第２同期位置によりＴＡ値をさらに算出する場合、前記処理ユニットは、前記第１同期位置と第２同期位置の差の絶対値を算出し、前記差の絶対値が第３所定閾値より小さいか否かを判断し、小さければ、前記第２同期位置をＴＡ値とし、小さくなければ、前記第１同期位置をＴＡ値とする。
【００２１】
好ましくは、前記サブフレームのハーフフレーム番号と現在のサブフレームのハーフフレーム番号の差が第２所定閾値より小さいか否かを判断する場合、前記処理ユニットは、小さくない場合、有効ＴＡ値がないと判断し、今回は、端末へＴＡコマンド・ワードを送信しない。
【図面の簡単な説明】
【００２２】
【図１】本発明の実施例に係る同期化を実現する方法の概略図である。
【図２】本発明の実施例に係る同期化を実現する方法のフローチャートである。
【図３】本発明の実施例に係るＴＡ値を計算する方法のフローチャートである。
【図４】本発明の実施例に係る同期化を実現する装置の構成図である。
【発明を実施するための形態】
【００２３】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例葉、全部本発明の保護範囲に属する。
【００２４】
本発明の技術案は多様な通信システムに応用することができる。例えば、ＧＳＭ（Ｇｌｏｂａｌ Ｓｙｓｔｅｍ ｏｆ Ｍｏｂｉｌｅ ｃｏｍｍｕｎｉｃａｔｉｏｎ、登録商標）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ、登録商標）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）等に応用できる。
【００２５】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００２６】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡの基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれに限定しない。
【００２７】
従来技術の、ＴＡ調整を行うＲＲＵチャネル及びアップリンク復調のためのＲＲＵチャネルが同一のＲＲＵチャネルではない可能性があるため、基地局と端末の時間が同期しない問題点を解決するため、本発明に係る実施例では、基地局は、ＲＲＵチャネルを介して受信されたＳＲＳの電力を受信する連続回数が所定閾値に達すると判定する場合のみ、ＲＲＵチャネルの切り替えを認め、また、ＲＲＵチャネルを切り替えるとともに、端末へＴＡコマンド・ワードを送信し、端末との同期を完成する。
【００２８】
以下、実施例により、本発明を詳細に説明し、勿論、本発明は以下の実施例にかぎられていない。
【００２９】
図１に示すように、本発明に係る実施例の同期化方法のフローチャートは以下通りである。
【００３０】
ステップ１００において、基地局は、端末からＳＲＳ信号を受信し、前記ＳＲＳ信号により今回最大受信電力のＲＲＵチャネルを選択する。
【００３１】
実に、ＳＲＳ信号は、端末から基地局に周期的に送信される。具体的な周期は、高位層のパラメータにより決定され、アップリンクデータ伝送と関連しない。周期性的に送信されるため、基地局は、ＳＲＳ信号により、端末とのタイミングアライメント状態を検出する。
【００３２】
端末が基地局にＳＲＳ信号を送信した後、基地局は、ＳＲＳ信号により、全部のＲＲＵチャネルの受信電力を算出し、即ち、ＲＲＵチャネルを介して受信したＳＲＳ信号の電力を算出し、かつ、今回最大受信電力のＲＲＵチャネルを選択する。ＳＲＳ信号によりＲＲＵチャネルの受信電力を計算する方法は、従来の方法を用いることができ、本発明に係る実施例では、これを限定せず、繰り返して説明しない。
【００３３】
さらに、ステップ１００の後、ステップ１１０を執行する前、基地局は、今回最大受信電力のＲＲＵチャネルが前回選択した受信電力最大の受信電力最大のＲＲＵチャネルと同一であるか否かを判断し、同一であれば、前記今回最大受信電力のＲＲＵチャネルに対応するカウンターの値に１を加算し、同様ではなければ、前記今回最大受信電力のＲＲＵチャネルに対応するカウンターの値に１を加算し、今回最大受信電力のＲＲＵチャネル以外の他の全部ＲＲＵチャネルに対応するカウンターの値をリセットする。
【００３４】
ＲＲＵチャネルを介して受信したＳＲＳの受信電力が最大と判定された連続回数を記録することができる。
【００３５】
ステップ１１０において、基地局は、前記今回最大受信電力のＲＲＵチャネルが現在の復調に用いられるＲＲＵチャネルと同一であるか否かを判断し、両者が同一ではないと判断すれば、前記今回最大受信電力のＲＲＵチャネルに対応するカウンターの値が所定の閾値より大きいか否かを判断し、大きいと判断すれば、現在の復調に用いられるＲＲＵチャネルを前記今回最大受信電力のＲＲＵチャネルに切り替え、ＰＵＳＣＨチャネルのパイロット信号及び前記ＳＲＳ信号により、ＴＡ値を算出する。また、前記ＴＡ値により端末にＴＡコマンド・ワードを送信して、端末との同期を完成する。１ＲＲＵチャネルに対応するカウンターの値は、前記１ＲＲＵチャネルが連続的に最大受信電力に対応すると判断した回数を示す。
【００３６】
ステップ１１０を執行する場合、まず、基地局は、今回最大受信電力のＲＲＵチャネルが現在の復調に用いられるＲＲＵチャネルと同一であるか否かを判断する。
【００３７】
つぎに、二者が同一であると判断すれば、ＲＲＵチャネルの切り替え場要らない。二者が同一ではないと、今回最大受信電力のＲＲＵチャネルに対応するカウンターの値が所定の閾値より大きいか否かを判断する。
【００３８】
最後、大きくないと判断すれば、ＲＲＵチャネの切り替えをしない、大きいと判断すれば、ＲＲＵチャネルの切り替えをトリガーし、即ち、現在の復調に用いられるＲＲＵチャネルを今回最大受信電力のＲＲＵチャネルに切り替え、かつ、ＲＲＵチャネルの切り替えの際に、端末にＴＡコマンド・ワードを送信し、端末との同期を完成する。
【００３９】
こうして、あるＲＲＵチャネルの受信電力が最大であると連続的に判断する回数が、所定の閾値に達すれば、ＲＲＵチャネル状態の切り替えが認められ、ＲＲＵチャネルが変化するたびに、切り替えることではなく、このように、ハンドオーバの延期により、端末の、ＲＲＵチャネルの間での、サブフレームレベルの頻繁なハンドオーバを避けることができる。
【００４０】
かつ、ＲＲＵチャネルのハンドオーバを行う場合、ＴＡコマンド・ワードが１回だけ発送されるため、ＲＲＵチャネル変化する場合の端末が、長時間にＴＡコマンド・ワードを受信できず、時間同期できないことを防ぐことができるようになった。
【００４１】
また、ＲＲＵチャネルを切り替えるとき、ＴＡコマンド・ワード１回を発送し、基地局が周期的にＴＡコマンド・ワードを発送することと矛盾しない。即ち、基地局は依然として、周期的にＴＡコマンド・ワードを発送するが、本発明に係る実施例のＲＲＵチャネルの切り替えにおいて、ＴＡコマンド・ワードをもう１回発送する。
【００４２】
こうして、端末は、基地局から発送されたＴＡコマンド・ワードにより、自分の信号送信時間を調整し、時間上に同期しない問題点を解決し、サービス性能を向上した。
【００４３】
ここで、端末へＴＡコマンド・ワードを送信する場合、まず、現在の復調されるサブフレームに対し、ＰＵＳＣＨチャネルのパイロット信号により第１同期位置を算出する。
【００４４】
前記第１同期位置は、所定の基準位置からの基地局がパイロット信号を受信する位置オフセットを示す。
【００４５】
そして、現在の復調されるブフレームのデコーディング結果が正確であるか否かを判断し、現在の復調されるサブフレームのデコーディング結果が正確であると判断すれば、第１同期位置及び前記サブフレーム所在のハーフフレーム番号を格納する。
【００４６】
そして、ＳＲＳ信号により、第２同期位置及びＳＲＳ信号のＳＮＲを算出する。前記ＳＮＲが第１所定閾値より大きいか否かを判断し、大きければ、前記第２同期位置をＴＡ値とし、大きくなければ、前記サブフレーム所在のハーフフレーム番号と現在のＳＲＳ信号所在のハーフフレーム番号の差が第２所定閾値により小さいか否かを判断する。
【００４７】
ここで、第２同期位置値は、所定の基準位置からのＳＲＳ信号の一次経路位置のオフセットを示す。
【００４８】
最後、第２所定閾値より小さいと判断すれば、第１同期位置と第２同期位置の差の絶対値を算出し、前記差の絶対値が第３所定閾値より小さいか否かを判断し、小さければ、前記第２同期位置をＴＡ値とし、小さくなければ、前記第１同期位置をＴＡ値とする。
【００４９】
また、前記サブフレーム所在のハーフフレーム番号と現在のＳＲＳ信号所在のハーフフレーム番号の差が第２所定閾値より小さくないと判断すれば、有効ＴＡ値がないと判断し、今回は、端末へＴＡコマンド・ワードを送信しない。
【００５０】
ここで、ハーフフレーム番号が時間を示し、例えば、１サブフレーム現在の時間は、前記１サブフレーム所在のハーフフレーム番号と前記一个サブフレームのオフセットの和である。こうして、現在の復調されるサブフレーム所在のハーフフレーム番号と現在のＳＲＳ信号所在のハーフフレーム番号の差が第２所定閾値より小さいとき、現在の復調されるブフレームとＳＲＳ信号の受信時間の間に、差がほとんどなく、同様であるとしてもいける場合のみ、前記第１同期位置を今回ＴＡ値とすることができる。
【００５１】
以下、具体的な実施シナリオの例を挙げて、前記実施例をさらに詳細に説明する。図２に示すように、本発明に係る実施例では、同期化を実現する方法は以下のとおりである。
【００５２】
２４個のＲＲＵチャネルを有する単一高速セルの例を取る。
【００５３】
ステップ２００において、２４個のＲＲＵチャネルに対応する２４要素のアレイを持つカウンタを定義する。いずれの初期値が０である。要素それぞれは、対応するＲＲＵチャネルを介して受信されたＳＲＳの受信電力の最大値を記録するように構成された、前記アレイは、以下のように示す。
【００５４】
【数１】
2019510409.tif 000003
【００５５】
ステップ２０１において、ＳＲＳ信号により２４個のＲＲＵチャネルの受信電力を算出し、例えば、i番目のＳＲＳ周期のいて、算出された受信電力は以下通りである。
【００５６】
【数２】
2019510409.tif 000004
【００５７】
ステップ２０２において、今回最大受信電力のＲＲＵチャネルを選択し、かつ、そのチャネルインデックスを記録する。例えば、そのチャネルインデックスが
【００５８】
【数３】
2019510409.tif 000005
【００５９】
ステップ２０３において、今回最大受信電力のＲＲＵチャネルが前回選択した受信電力最大の受信電力最大のＲＲＵチャネルと同一であるか否かを判断し、同一であれば、ステップ２０５を執行し、同一ではなければ、ステップ２０４を執行する。
例えば、前回選択した受信電力最大のチャネルインデックスが
【００６０】
【数４】
2019510409.tif 000006
【００６１】
【数５】
2019510409.tif 000007
【００６２】
ステップ２０４において、今回最大受信電力のＲＲＵチャネルに対応するカウンターの値に１を加算し、他のＲＲＵチャネルに対応するカウンターをクリアする。
【００６３】
ステップ２０５において、今回最大受信電力のＲＲＵチャネルに対応するカウンターの値に１を加算する。
【００６４】
ステップ２０６において、今回最大受信電力のＲＲＵチャネルが復調に用いられるＲＲＵチャネルと同一であるか否かを判断し、同一であれば、終了し、同一ではなければ、チャネルの切り替えを行わず、ステップ２０７を執行する。
【００６５】
ステップ２０７において、今回最大受信電力のＲＲＵチャネルに対応するカウンターの値が所定閾値値より大きいか否かを判断し、大きければ、ステップ２０８を執行し、大きくなければ、終了し、即ち、チャネルの切り替えを行わない。
【００６６】
ステップ２０８において、チャネルの切り替えをトリガーし、かつ、端末へＴＡコマンド・ワードを一回送信する。
【００６７】
ここで、ステップ２０８における、端末へＴＡコマンド・ワードを一回送信するのは、ＰＵＳＣＨチャネルのパイロット信号及びＳＲＳ信号により、ＴＡ値を算出し、また、ＴＡ値により、端末へＴＡコマンド・ワードを送信する。
【００６８】
ここで、ＴＡ値が算出されれば、用いるプロトコルに規定した手段により、ＴＡコマンド・ワードを決定することができる。
【００６９】
以下、図３に示すように、本発明に係る実施例では、ＴＡ値の算出は以下とおりである。
【００７０】
ステップ３００において、現在の復調されるサブフレームに対し、ＰＵＳＣＨチャネルのパイロット信号により第１同期位置を計算し、
【００７１】
【数６】
2019510409.tif 000008
【００７２】
と記する。
ステップ３０１において、現在の復調されるサブフレームのデコーディング結果が正確であるか否かを判断し、正確であれば、ステップ３０２を執行し、さもないと、ステップ３０３を執行する。
ステップ３０２において、現在の復調されるサブフレームに対応する
【００７３】
【数７】
2019510409.tif 000009
【００７４】
及びハーフフレーム番号を格納する。
ステップ３０３において、ＳＲＳ信号により第２同期位置を計算し、
【００７５】
【数８】
2019510409.tif 000010
【００７６】
と記し、ＳＲＳ信号のＳＮＲ値を計算する。
ステップ３０４において、ＳＲＳ信号のＳＮＲ値が第１閾値より大きいか否かを判断し、大きければ、ステップ３０５を執行し、大きくなければ、ステップ３０６を執行する。
ステップ３０５において、今回ＴＡ値を
【００７７】
【数９】
2019510409.tif 000011
【００７８】
とする。
ステップ３０６において、前記現在の復調されるサブフレーム所在のハーフフレーム番号と現在のＳＲＳ信号所在のハーフフレーム番号の差が第２閾値より小さいか否かを判断し、小さければ、ステップ３０７を執行し、小さくなければ、終了し、即ち、今回有効ＴＡ値がないと判断して、ＴＡコマンド・ワードを送信しない。
ステップ３０７において、格納された、正確にデコーディングされたサブフレームに対応する
【００７９】
【数１０】
2019510409.tif 000012
【００８０】
を抽出し、
【００８１】
【数１１】
2019510409.tif 000013
【００８２】
と
【００８３】
【数１２】
2019510409.tif 000014
【００８４】
の差の絶対値を計算する。
ステップ３０８において、二者差の絶対値が第３閾値より小さいか否かを判断し、小さければ、ステップ３０９を執行し、小さくなければ、ステップ３１０を執行する。
【００８５】
【数１３】
2019510409.tif 000015
【００８６】
上述の実施例をベースとして、図４に示すように、本発明に係る実施例では、同期化を実現する装置は、端末からＳＲＳ信号を受信し、前記ＳＲＳ信号に従って、今回最大受信電力のＲＲＵチャネルを選択する選択ユニット４０と、前記今回最大受信電力のＲＲＵチャネルが現在の復調に用いられるＲＲＵチャネルと同一であるか否かを判断し、両者が同一ではないと判断すれば、前記今回最大受信電力のＲＲＵチャネルに対応するカウンターの値が所定の閾値より大きいか否かをさらに判断し、大きいと判断すれば、現在の復調に用いられるＲＲＵチャネルを前記今回最大受信電力のＲＲＵチャネルに切り替え、かつ、物理アップリンク共有チャネル（ＰＵＳＣＨ）チャネルのパイロット信号及び前記ＳＲＳ信号により、ＴＡ値を算出し、かつ、前記ＴＡ値により端末にＴＡコマンド・ワードを送信して、端末との同期を完成する処理ユニット４１とを備える。１ＲＲＵチャネルに対応するカウンターの値は、前記１ＲＲＵチャネルが連続的に最大受信電力に対応すると判断した回数を示す。
【００８７】
好ましくは、前記ＳＲＳ信号により今回最大受信電力のＲＲＵチャネルを選択した後、基地局により前記今回最大受信電力のＲＲＵチャネルが現在の復調に用いられるＲＲＵチャネルと同一であるか否かを判断する前、計算ユニット４２は、前記今回最大受信電力のＲＲＵチャネルが前回選択した受信電力最大の受信電力最大のＲＲＵチャネルと同一であるか否かを判断し、同一であれば、前記今回最大受信電力のＲＲＵチャネルに対応するカウンターの値に１を加算し、同様ではなければ、前記今回最大受信電力のＲＲＵチャネルに対応するカウンターの値に１を加算し、今回最大受信電力のＲＲＵチャネル以外の他の全部ＲＲＵチャネルに対応するカウンターの値をリセットする。
【００８８】
好ましくは、ＰＵＳＣＨチャネルのパイロット信号及び前記ＳＲＳ信号によりＴＡ値を算出する場合、前記処理ユニット４１は、現在の復調されるサブフレームに対し、ＰＵＳＣＨチャネルのパイロット信号により、第１同期位置を算出し、現在の復調されるサブフレームのデコーディング結果が正確である場合、前記第１同期位置和前記サブフレーム所在のハーフフレーム番号を格納する。前記第１同期位置は、所定の基準位置からの基地局がパイロット信号を受信する位置オフセットを示す。
【００８９】
また、ＳＲＳ信号により、第２同期位置及びＳＲＳ信号的信号雑音比（ＳＮＲ）を算出し、前記ＳＮＲが第１所定閾値より大きいか否かを判断し、大きければ、前記第２同期位置をＴＡ値とし、大きくなければ、前記サブフレーム所在のハーフフレーム番号と現在のＳＲＳ信号所在のハーフフレーム番号の差が第２所定閾値より小さいか否かを判断し、小さいと判断すれば、前記第１同期位置和第２同期位置により、ＴＡ値をさらに算出し、前記第２同期位置値は、所定の基準位置からのＳＲＳ信号の一次経路位置のオフセットを示す。
【００９０】
好ましくは、小さいと判断すれば、前記第１同期位置及び第２同期位置によりＴＡ値をさらに算出する場合、前記処理ユニット４１は、前記第１同期位置と第２同期位置の差の絶対値を算出し、前記差の絶対値が第３所定閾値より小さいか否かを判断し、小さければ、前記第２同期位置をＴＡ値とし、小さくなければ、前記第１同期位置をＴＡ値とする。
【００９１】
好ましくは、前記サブフレームのハーフフレーム番号と現在のサブフレームのハーフフレーム番号の差が第２所定閾値より小さいか否かを判断する場合、前記処理ユニット４１は、小さくない場合、有効ＴＡ値がないと判断し、今回は、端末へＴＡコマンド・ワードを送信しない。
【００９２】
よって、本発明に係る実施例では、基地局は、端末からＳＲＳ信号を受信し、かつ、ＳＲＳ信号により、今回最大受信電力のＲＲＵチャネルを選択し、基地局は、今回最大受信電力のＲＲＵチャネルが現在の復調に用いられるＲＲＵチャネルと同一であるか否かを判断し、両者が同一ではないと判断すれば、今回最大受信電力のＲＲＵチャネルに対応するカウンターの値が所定の閾値より大きいか否かをさらに判断し、大きいと判断すれば、現在の復調に用いられるＲＲＵチャネルハンドオーバを今回最大受信電力のＲＲＵチャネルに切り替え、かつ、ＰＵＳＣＨチャネルのパイロット信号及びＳＲＳ信号によりＴＡ値を算出し、また、ＴＡ値にしたがって、端末にＴＡコマンド・ワードを送信して、端末との同期を完成する。ここで、１ＲＲＵチャネルに対応するカウンターの値は、前記１ＲＲＵチャネルが連続的に最大受信電力に対応すると判断した回数を示す。こうして、ＲＲＵチャネルの受信電力が最大であると連続的に判断された回数が所定の閾値に達する場合のみ、ＲＲＵチャネル状態の切り替えが認められ、ＲＲＵチャネルが変化するたびに、切り替えることではなく、このように、ハンドオーバの延期により、端末の、ＲＲＵチャネルの間での、サブフレームレベルの頻繁なハンドオーバを避けることができる。かつ、ＲＲＵチャネルのハンドオーバを行う場合、ＴＡコマンド・ワードが１回だけ発送されるため、ＲＲＵチャネル変化する場合の端末が、長時間にＴＡコマンド・ワードを受信できず、時間同期できないことを防ぐことができるようになった。
【００９３】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な格納媒体（ディスク格納装置、ＣＤ-ＲＯＭ、光学格納装置等を含むがそれとは限らない）において実施する。
【００９４】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【００９５】
これらのコンピュータプログラム指令は又、コンピュータ或いは他のプログラム可能なデータ処理装置を特定方式で動作させるコンピュータ読取格納装置に格納できる。これによって、指令を含む装置は当該コンピュータ読取格納装置内の指令を実行でき、フロー図における一つ或いは複数のフローおよび／またはブロック図における一つ或いは複数のブロックに指定する機能を実現する。
【００９６】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【００９７】
前記した実施形態に記述された技術的な解決手段を改造し、或いはその中の一部の技術要素を置換することもできる。そのような、改造と置換は本発明の各実施形態の技術の範囲から逸脱するとは見なされない。
【００９８】
無論、当業者によって、前記した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。  
【００９９】
本出願は、２０１６年２月２５日に中国特許局に提出し、出願番号が２０１６１０１０５２３７.５であり、発明名称が「同期化を実現する方法及び装置」との中国特許出願を基礎とする優先権を主張し、その開示の総てをここに取り込む。
【図１】
2019510409.tif 000016
【図２】
2019510409.tif 000017
【図３】
2019510409.tif 000018
【図４】
2019510409.tif 000019
【国際調査報告】
2019510409.tif 000020
2019510409.tif 000021
2019510409.tif 000022
2019510409.tif 000023